(57)【要約】      （修正有）【課題】腕金に機器装柱用の空間域さえあれば、該空間域部の腕金に、該腕金と係合切欠の係合関係によって支持金具を自在に組付けることができ、簡単な構造の腕金を用いた機器の装柱装置を得られ、騒音の発生を回避し、取付け操作上簡単な、機器の装柱装置を提供する。【解決手段】適宜手段で基部を取付けて電柱Ｄより突設した角筒状の腕金２の長手方向の中間部に一対の支持金具３，４を、平板状の主体部片に設けた側端開口の方形状の係合切欠を外嵌して、前記腕金の長手方向に並べて組付け、該一対の支持金具に無線機１００等の機器を渡して止着手段で組付ける。主体部片に立面部と水平部とで成る取付け部片を突設し、該取付け部片の、縦方向に相対する前記水平部間を、腕金に外嵌する、方形状の係合切欠とする。【選択図】図１
2014176138.tif 000002
【特許請求の範囲】
【請求項１】
適宜手段で基部を取付けて電柱より突設した角筒状の腕金の長手方向の中間部に、一対の支持金具を、平板状の主体部片に設けた側端開口の方形状の係合切欠を外嵌して、しかも、前記腕金の長手方向に並べて組付け、該一対の支持金具に無線機等の機器を渡して止着手段で組付けた、機器の装柱装置。
【請求項２】
主体部片に立面部と水平部とで成る取付け部片を突設し、該取付け部片の、縦方向に相対する前記水平部間を腕金に外嵌する、方形状の係合切欠とすると共に、前記水平部と腕金を互いにねじ止めした、請求項１記載の機器の装柱装置。
【発明の詳細な説明】
【技術分野】
【０００１】
本発明は、無線機（箱型の）などの機器を、電柱に突設した角筒方形状の腕金を利用して装柱する、機器の装柱装置に関するものである。
【背景技術】
【０００２】
無線機などの機器すなわち装柱機器の上面に、一対の、一側を開口したコの字形の支持板を並べて設け、該支持板を電柱より突設した腕金に該外側から嵌め込んで組合わせ、前記の開口部を、該開口部を構成する上下の部片に渡して締め付けたボルト杆で閉じて、前記腕金から支持板付の前記装柱機器が離脱しないようにした構造のものがある（特許文献１）。
【先行技術文献】
【特許文献】
【０００３】
【特許文献１】実開平５−７０１１０号公報
【特許文献２】実開平６−１３３３７号公報
【発明の概要】
【発明が解決しようとする課題】
【０００４】
前記従来例は適宜の手段（概し、電柱用バンド）で基部を取付けて、電柱に突設した腕金の、長手方向の中間部適所に、装柱機器を取付けられ、すなわち、取付け空間域があれば既設の機器の存在と無関係に取付けられる便利さがあるが、構造が複雑で、従って、取付け作業が煩雑という問題点がある。
【０００５】
本発明は、比較的構造が簡単で斬新な構造の機器の装柱装置を提供すべく創案したものである。
【課題を解決するための手段】
【０００６】
適宜手段で基部を取付けて電柱より突設した角筒状の腕金の長手方向の中間部に一対の支持金具を、平板状の主体部片に設けた側端開口の方形状の係合切欠を外嵌して、前記腕金の長手方向に並べて組付け、該一対の支持金具に無線機等の機器を渡して止着手段で組付けたことを基本的手段とする。そしてこの基本的手段に主体部片に立面部と水平部とで成る取付け部片を突設し、該取付け部片の、縦方向に相対する前記水平部間を腕金に外嵌する、方形状の係合切欠とすると共に、前記水平部と腕金を互いにねじ止めした点を付加することにより、簡単な構造の、従って組立てが簡単な装置を提供できる。
【発明の効果】
【０００７】
本発明によれば、腕金に機器装柱用の空間域さえあれば、該空間域部の腕金に、該腕金と係合切欠の係合関係によって支持金具を自在に組付けることができ、簡単な構造の腕金を用いた機器の装柱装置を得られ、取付け操作上簡単な、機器の装柱装置を提供できる。
【図面の簡単な説明】
【０００８】
【図１】平面図。
【図２】図１の一部拡大図。
【図３】一部欠截側面図。
【図４】図３の一部拡大図。
【図５】図４の右側面図。
【図６】第一支持金具の正面図。
【図７】第一支持金具の側面図。
【図８】第一支持金具の平面図。
【図９】第二支持金具の正面図。
【図１０】第二支持金具の側面図。
【図１１】第二支持金具の平面図。
【図１２】第三支持金具の正面図。
【図１３】第三支持金具の側面図。
【図１４】第三支持金具の平面図。
【発明を実施するための形態】
【０００９】
図面は、所謂４片式の電柱用バンド１で方形筒状の腕金２を基部において電柱Ｄに取付けて突設し、該腕金２の、長手方向の中間部に、無線機（箱形の）１００と、ブレイカー、ケーブル、コネクター等の該無線機１００の付属材を集積した付属装置（箱形）１０１を組付けて装柱するようにした一実施形態を示すものである。
【００１０】
無線機１００は、互いに略同形の一対の、金属板を屈曲して構成した支持金具３，４を用いて前記腕金２の長手方向の、適宜の中間部に取付けたものである。
【００１１】
無線機１００取付け用の、前記一方の支持金具３（以下、第一支持金具３）は、縦長方形状の主体部片３０の上下両端に無線機１００の係合間隙１００ｃを介して上下一対の支持部片３１，３１´を折り曲げ状にして相対設し、各支持部片３１，３１´には前記無線機１００をねじ止めするねじ７１，７１´用の透孔３ａ，３ａ´を備えている。また、この支持金具３の、前記主体部片３０の長手（上下）方向のやや上部側に、縦断面Ｌ字状の、上下一対の取付け部片３２，３２´を、前記支持部片３１，３１´の、主体部片３０からの突出方向より反対方向に突出させて設けてある。そして、上側の取付け部片３２は前記主体部片３０の長手（縦）方向に沿う一端から、下側の下側取付け部片３２´は長手（縦）方向に沿う他端から立面部３２ａ，３２´ａにおいてそれぞれ折り曲げ状に連設して突出させて、水平部３２ｂ，３２´ｂを、前記腕金２の、側端開口の係合間隙２ｃを存して相対向させてある。また、立面部３２ａ，３２´ａと水平部３２ｂ，３２´ｂで成る支持部片３１，３１´の水平部３２ｂ，３２´ｂには、支持金具３を腕金２に組付けるための止着ボルト７２挿通用の角孔３ｂ，３ｂ´を設けてある。
【００１２】
他方の支持金具４（以下、第二支持金具４）は、縦長方形状の主体部片４０の上下両端に幅広い部分４０ａ，４０ａ´を設け、該上下の幅広い部分４０ａ，４０ａ´の端縁（主体部片４０の両端）に無線機１００の係合間隙１００ｃ´を介して折り曲げ状に上下一対の支持部片４１，４１´を相対設し、該上下一対の支持部片４１，４１´には前記無線機１００をねじ止めするねじ１７１，１７１´用の透孔４ａ，４ａ´を設けてある。また、この支持金具４の長手（縦）方向の上部側には、前記第一支持金具３と同様に縦断面Ｌ字形の、上下一対の取付け部片４２，４２´を、前記支持部片４１，４１´の主体部片４０からの突出方向より反対方向に突出させて設けてある。そして、上側の取付け部片４２は前記主体部片４０の長手方向に沿う一端から、また、下側の取付け部片４２´は長手方向に沿う他端からそれぞれ立面部４２ａ，４２´ａにおいて折り曲げ状にして連設し、しかも、水平部４２ｂ，４２´ｂを前記係合切欠２ｃ´（腕金２を係合する）を存して相対設させ、立面部４２ａ，４２´ａと水平部４２ｂ，４２´ｂで成る取付け部片４２，４２´の前記水平部４２ｂ，４２´ｂには第二支持金具４を腕金２に組付けるための角根付止着ボルト１７２挿通用の角孔４ｂ，４ｂ´を設けてある。
【００１３】
支持金具３，４を腕金２に組付けるには、電柱Ｄに片持ち梁状にして突設した腕金２に、該腕金２の一方の側面側から係合間隙１００ｃ，１００ｃ´において外嵌するようにして、一方の支持金具３を他方の支持金具４より腕金２の先側にしてそれぞれ組合わせ、各支持金具３，４の取付け部片３２，３２´，４２，４２´に設けた角孔３ｂ，３ｂ´．４ｂ，４ｂ´に腕金２に設けた通し孔７４を通じて止着ボルト７２，１７２を挿通させ、一方の角孔３ｂ´，４ｂ´より突出するボルト７２，１７２の先端にナット７５，１７５を螺合、締付けることにより支持金具３，４は腕金２に所定の間隔を置いて組付けられる。
【００１４】
そして、腕金２に組付けた各支持金具３，４に備えた係合間隙１００ｃ，１００ｃ´に支持金具３，４間に前記無線機１００をわたすようにして嵌め込み、前記ねじ７１，７１´．１７１，１７１´をねじ込むことにより無線機１００は装柱される。
【００１５】
図中、１０１は、前記の通り、前記無線機１００の、ケーブルやコネクター等の付属材を装備して、該無線機の近傍に配する無線機の付属装置で、図示の実施形態は、この付属装置（箱形）１０１を、第三の支持金具（第三支持金具）８を用いて電柱Ｄに突設した腕金２に取付けて装柱するものである。
【００１６】
つまり、無線機１００を互いに異なる一対の前記支持金具３，４を用いて腕金２に取付ける形態を第一の形態としたとき、他の（一対の）第三支持金具８を用いて付属装置１０１を腕金２に取付ける手段を、本発明装置の第二実施形態ということができ、第一、第二の実施形態は、一方のみを用いても良く、常に双方を用いる必要はない。
【００１７】
なお、腕金２には、無線機１００とその付属装置１０１のみならず、アンテナやＧＰＳが組付けられ、無線基地局を構成する。
【００１８】
第三支持金具８は、隅部の一部を丸くした縦長方形状の主体部片８０の上下両端部に、主体部片８０の一方の片面に重ね合わせた付属装置１０１に螺合する止着ねじ２７１，２７１´挿通用の透孔８ａ，８ａ´を設け、主体部片８０の他方の片面の、上部寄りと下部寄りには、立面部８２ａ，８２´ａと水平部８２ｂ，８２´ｂとで成る、上下の取付け部片８２，８２´を、腕金２を係合する前記係合切欠２ｃ´´を介して、しかも、水平部８２ｂ，８２´ｂが互いに相対するようにして突設したものである。
【００１９】
上側の取付け部片８２は、前記主体部片８０の長手方向に沿う一端から、また、下側の取付け部片８２´は長手方向に沿う他端から、それぞれ立面部８２ａ，８２´ａにおいて折り曲げ状にして連設し、しかも、水平部８２ｂ，８２´ｂを前記腕金２の係合間隙２ｃ´´を存して相対設させ、立面部８２ａ，８２´ａと水平部８２ｂ，８２´ｂで成る取付け部片８２，８２´の前記水平部８２ｂ，８２´ｂには第三支持金具８を腕金２に組付けるための角根付止着ボルト２７２挿通用の角孔８ｂ，８ｂ´を設けてある。
【００２０】
そして、電柱Ｄに片持ち梁状にして突設した前記腕金２の適所に該腕金２の他方の側面側から係合切欠２ｃ´´において外嵌するようにして一対の第三支持金具８を組合わせ、腕金２に設けた通し孔１７４を通じて第三支持金具８の取付け部片８２，８２´に設けた角孔８ｂ，８ｂ´に止着ボルト２７２を挿通させ、一方の角孔８ｂ，８ｂ´より突出するボルト２７２の先端にナット２７５を螺合、締付けることにより一対の第三支持金具８，８は腕金２に所定の間隔を置いて組付けられる。
【００２１】
前記付属装置１０１は、腕金２に組付けた、一対の第三支持金具８，８に備えた側端開口の係合切欠２ｃ´´に、両第三支持金具８，８間に付属装置１０１を渡すようにして嵌め込み、前記ねじ２７１，２７１´を前記透孔８ａ，８ａ´を通じて装置１０１にねじ込むことにより装柱される。
【００２２】
なお、第三支持金具８の主体部片８０に設けた長孔７９は軽量化を図るためで、上側取付け部片８２の立面部８２ａを上端に向けて幅狭い部分を設けてやや三角形状にしたのもこの軽量化を意図する。
【符号の説明】
【００２３】
２                  腕金
２ｃ，２ｃ´        係合切欠
３                  第一支持金具
４                  第二支持金具
８                  第三支持金具
３２，３２´        取付け部片
３２ａ，３２´ａ    立面部
３２ｂ，３２´ｂ    水平部
４２，４２´        取付け部片
４２ａ，４２´ａ    立面部
４２ｂ，４２´ｂ    水平部
Ｄ                  電柱
【図１】
2014176138.tif 000003
【図２】
2014176138.tif 000004
【図３】
2014176138.tif 000005
【図４】
2014176138.tif 000006
【図５】
2014176138.tif 000007
【図６】
2014176138.tif 000008
【図７】
2014176138.tif 000009
【図８】
2014176138.tif 000010
【図９】
2014176138.tif 000011
【図１０】
2014176138.tif 000012
【図１１】
2014176138.tif 000013
【図１２】
2014176138.tif 000014
【図１３】
2014176138.tif 000015
【図１４】
2014176138.tif 000016